(57)【要約】【課題】屋内の空気の屋外への排出等を行なう送風機であって、羽根を外す作業を容易にかつ安全に行うことができる送風機を提供することを目的とする。【解決手段】モーター１の回転軸２に嵌合する羽根ボス４の外周部に羽根はずし雄ねじ部７を形成するとともに、キャップ状で内周に羽根はずし雄ねじ部７に螺合する羽根はずし雌ねじ部９を形成した羽根はずし具８を備えることにより、羽根はずし具８を羽根ボス４に螺合して締め込んでいくと、羽根３をモーター１の回転軸２から容易かつ安全に外すことができるという送風機が得られる。【選択図】図２
2007278243.tif 000002
【特許請求の範囲】
【請求項１】
モーターと前記モーターの回転軸に嵌合する羽根ボスを備えた羽根とを有し、前記回転軸を前記羽根ボスに挿入した際、前記回転軸の前記羽根ボスからの突出部分に羽根固定雄ねじ部を形成し、前記羽根ボスの外周部に羽根はずし雄ねじ部を形成するとともに、キャップ状で内周に前記羽根はずし雄ねじ部に螺合する羽根はずし雌ねじ部を形成した羽根はずし具を備えた送風機。
【請求項２】
羽根はずし具を羽根ボスに螺合した際、前記羽根はずし具内底面の前記回転軸に当接する箇所にピンを形成した請求項１の送風機。
【請求項３】
羽根はずし具に羽根固定雌ねじ部を形成した突出部を設け、前記突出部の外周に対向する第一平面部を形成した請求項１または２記載の送風機。
【請求項４】
羽根はずし具に羽根はずし雌ねじ部を形成した筒部を設け、前記筒部の外周に対向する第二平面部を形成した請求項１〜３のいずれかに記載の送風機。
【請求項５】
対向する第二平面部間に凹部を形成した請求項４記載の送風機。
【請求項６】
羽根はずし雌ねじ部に汚れ付着防止のカバーを設けた請求項１〜５のいずれかに記載の送風機。
【発明の詳細な説明】
【技術分野】
【０００１】
本発明は、屋内の空気の屋外への排出等を行なう送風機に関する。
【背景技術】
【０００２】
従来、この種の送風機は、レンジフードの本体内に組み込まれたものが知られている（例えば特許文献１参照）。
【０００３】
以下、そのレンジフードの本体内に組み込まれた送風機について図５を参照しながら説明する。
【０００４】
図に示すように、レンジフードの本体１０１には、下方に設置されたレンジ（図示せず）から発生する油煙等を室内吸込口１０２より吸い込んで室外吐出口１０３より吐出する羽根１０４およびモーター１０５からなる送風機１０６が設けてある。羽根１０４のモーター１０５への取り付けは、羽根１０４の中央部に設けた羽根ボス１０７にモーター１０５の回転軸１０８を挿入し、回転軸１０８の先端に形成したねじ部にナット部材１０９を螺着して固定するものであった。そして、モーター１０５が回転することで、モーター１０５に固着された羽根１０４が回転し、室内吸込口１０２より油煙を本体１０１内に吸い込み、室外吐出口１０３より屋外に排出する。また、掃除等で羽根１０４をモーター１０５から取り外すときは、ナット部材１０９を外して回転軸１０８から羽根ボス１０７を抜くことにより行うものであった。
【特許文献１】特開平７−１８０８７３号公報
【発明の開示】
【発明が解決しようとする課題】
【０００５】
このような従来のレンジフードの本体１０１内に組み込まれた送風機１０６では、送風機１０６を運転すると羽根１０４とモーター１０５にも油煙やほこりが付着し、羽根ボス１０７と回転軸１０８との嵌合部は一般にクリアランスが小さいので、羽根ボス１０７と回転軸１０８とは固着した状態となり、取り外しに際しては工具を必要とするなど作業が困難であった。また、作業時には羽根１０４以外に持つところがなく、また回転軸１０８も自由に回転するので不安定で危険であった。
【０００６】
本発明は、このような従来の課題を解決するものであり、羽根を外す作業を容易かつ安全に行うことができる送風機を提供することを目的としている。
【課題を解決するための手段】
【０００７】
本発明の送風機は上記目的を達成するために、モーターと前記モーターの回転軸に嵌合する羽根ボスを備えた羽根とを有し、前記回転軸を前記羽根ボスに挿入した際、前記回転軸の前記羽根ボスからの突出部分に羽根固定雄ねじ部を形成し、前記羽根ボスの外周部に羽根はずし雄ねじ部を形成するとともに、キャップ状で内周に前記羽根はずし雄ねじ部に螺合する羽根はずし雌ねじ部を形成した羽根はずし具を備えたものである。
【０００８】
この手段により、羽根はずし具を羽根ボスに螺合して締め込んでいくと羽根ボスが回転軸より移動するので、容易かつ安全に羽根を外すことができる送風機が得られる。
【０００９】
また、他の手段は、羽根はずし具を羽根ボスに螺合した際、前記羽根はずし具内底面の前記回転軸に当接する箇所にピンを形成したものである。
【００１０】
この手段により、羽根はずし具を羽根ボスに螺合して締め込んでいくと、回転軸がピンに押されて羽根ボスが回転軸より外れるので、容易かつ安全に羽根を外すことができる送風機が得られる。
【００１１】
また、他の手段は、羽根はずし具に羽根固定雌ねじ部を形成した突出部を設け、前記突出部の外周に対向する第一平面部を形成したものである。
【００１２】
この手段により、対向する第一平面部を工具ではさんで、羽根固定雌ねじ部を回転軸の羽根固定雄ねじ部に締め付けることができるので、羽根をモーターの回転軸に必要トルクで確実に締め付けることができる送風機が得られる。
【００１３】
また、他の手段は、羽根はずし具に羽根はずし雌ねじ部を形成した筒部を設け、前記筒部の外周に対向する第二平面部を形成したものである。
【００１４】
この手段により、対抗する第二平面部を工具ではさんで羽根はずし具をまわすことができるので、固着度合いが強く外しにくい羽根を、容易かつ安全に外すことができる送風機が得られる。
【００１５】
また、他の手段は、対向する第二平面部間に凹部を形成したものである。
【００１６】
この手段により、羽根はずし具が把持しやすく、手による着脱も容易となる。
【００１７】
また、他の手段は、羽根はずし雌ねじ部に汚れ付着防止のカバーを設けたものである。
【００１８】
この手段により、羽根外し時に羽根はずし雌ねじ部が汚れにくいので、容易かつ確実に羽根を外すことができる。
【発明の効果】
【００１９】
本発明によれば、羽根はずし具を羽根ボスに螺合して締め込んでいくと、羽根ボスが回転軸より完全に外れ、羽根を外す際に羽根を無理やり引っ張ることが不用で、容易かつ安全に羽根を外すことができるという効果のある送風機が提供できる。
【００２０】
また、羽根はずし具に形成た対向する第一平面部または第二平面部を工具で保持して作業することができ、手で回すことができないときに有用であるという効果のある送風機を提供できる。
【発明を実施するための最良の形態】
【００２１】
本発明の請求項１記載の送風機は、モーターと前記モーターの回転軸に嵌合する羽根ボスを備えた羽根とを有し、前記回転軸を前記羽根ボスに挿入した際、前記回転軸の前記羽根ボスからの突出部分に羽根固定雄ねじ部を形成し、前記羽根ボスの外周部に羽根はずし雄ねじ部を形成するとともに、キャップ状で内周に上記羽根はずし雄ねじ部に螺合する羽根はずし雌ねじ部を形成した羽根はずし具を備えたものであり、羽根を外す際に、羽根はずし具の羽根はずし雌ねじ部を羽根ボス部の外周部に設けた羽根はずし雄ねじ部に螺合してねじを締め付けていくと、モーター回転軸の先端が羽根はずし具に当たり、当たった箇所が支点となって羽根ボスを回転軸先端方向へ移動させるという作用を有する。
【００２２】
また、本発明の請求項２記載の送風機は、羽根はずし具を羽根ボスに螺合した際、前記羽根はずし具内底面の前記回転軸に当接する箇所にピンを形成したものであり、羽根を外す際に、羽根はずし具の羽根はずし雌ねじ部を羽根ボス部の外周部に設けた羽根はずし雄ねじ部に螺合してねじを締め付けていくと、モーター回転軸の先端が羽根はずし具のピンに当たり、当たった箇所が支点となって羽根ボスを回転軸先端方向へ移動することができるという作用を有する。
【００２３】
また、本発明の請求項３記載の送風機は、羽根はずし具に羽根固定雌ねじ部を形成した突出部を設け、前記突出部の外周に対向する第一平面部を形成したものであり、対向する第一平面部を工具ではさんで、羽根固定雌ねじ部を回転軸の羽根固定雄ねじ部に締め付けることができるので、羽根をモーターの回転軸に必要トルクで確実に締め付けることができるという作用を有する。
【００２４】
また、本発明の請求項４記載の送風機は、羽根はずし具に羽根はずし雌ねじ部を形成した筒部を設け、前記筒部の外周に対向する第二平面部を形成したものであり、対向する第二平面を工具ではさんで羽根はずし具をまわすことができるので、固着度合いが強く外しにくい羽根を、容易かつ安全に外すことができるという作用を有する。
【００２５】
また、本発明の請求項５記載の送風機は、対向する第二平面部間に凹部を形成したものであり、羽根はずし具が把持しやすく、手による着脱も容易となるという作用を有する。
【００２６】
また、本発明の請求項６記載の送風機は、羽根はずし雌ねじ部に汚れ付着防止のカバーを設けたものであり、羽根外し時に羽根はずし雌ねじ部が汚れにくいので、容易かつ確実に羽根を外すことができるという作用を有する。
【００２７】
以下、本発明の実施の形態について図面を参照しながら説明する。
【００２８】
（実施の形態１）
図１および図２において、送風機２０の本体内にはモーター１が設けられていて、モーター１の回転軸２は送風用の羽根３の中央部に設けられた羽根ボス４に挿入されている。この挿入のクリアランスは０．１ｍｍ以下の小さいものであり、クリアランスが大きいと羽根３のガタツキの原因となり、異常音や磨耗が発生する。また回転軸２にはＥリング５が取付けてあるので、回転軸２を羽根ボス４に挿入するとＥリング５で止まり、位置が決まる。さらに、回転軸２の先端にはＤカット（図示せず）を施し、羽根ボス４の内周はこのＤカットに係合する形状に加工され、回転軸２の回転に対して羽根ボス４が空回りしないようにしてある。そして、回転軸２を羽根ボス４に挿入すると、回転軸２の先端は羽根ボス４からＬ１の寸法で突出するようにし、この部分には羽根ボス４に固定するためのナット（図示せず）が取り付くように、羽根固定雄ねじ部６が形成してある。また、羽根ボス４の外周には羽根はずし雄ねじ部７が寸法Ｌ２で形成し、羽根はずし雄ねじ部７の寸法Ｌ２≧回転軸２の吐出寸法Ｌ１となるように形成している。
【００２９】
そして、キャップ状に形成されていて、キャップの深さとなる内寸法Ｌ３が、羽根ボス４から回転軸２が突出した寸法Ｌ１より３〜５ねじピッチ分長めに形成された羽根はずし具８を備えている。また、羽根はずし具８には内周に羽根はずし雌ねじ部９が形成してある。羽根はずし雌ねじ部９は内周すべてに設ける必要はなく、先端側に形成されておればよい。そしてＬ１，Ｌ２，Ｌ３は、Ｌ１＜Ｌ２≦Ｌ３となるように形成されている。
【００３０】
上記構成において、羽根３を外す際には、羽根はずし具８を羽根ボス４に螺合し、締め込んでいくと回転軸２の先端がまず羽根はずし具８の内底面に当たる。そして、そのまま締め込んでいくと回転軸２の先端が支点となり、羽根はずし雄ねじ部７が案内ねじとなって、羽根ボス４を回転軸２の先端側へと移動させる。移動することで羽根３が固着している状態がなくなるので、羽根はずし具８を外し、続いて手で引き抜くことで、羽根３をモーター１より外すことができる。
【００３１】
このように羽根はずし具８を羽根ボス４に螺合して締め込んでいくだけで、羽根３をモーター１の回転軸２から取り外すことができるので、たとえば、レンジフードの本体内に組み込んで羽根３と回転軸２とが油塵等で固着した場合でも、羽根３を容易かつ安全に取り外すことができる。
【００３２】
（実施の形態２）
図３において、図１と同じ構成要素については同じ符号を用い、説明を省略する。
【００３３】
羽根はずし具８Ａの回転軸２の先端との当接部には、回転軸２の外径よりも小さい寸法のピン１０が形成されている。ピン１０の長さＬ４は、回転軸２の先端からＥリング５までの寸法Ｌ５にほぼ等しくし、羽根ボス４Ａの外周には突出壁１１を設け、羽根底面１２から突出壁１１の頂部までの寸法Ｌ６もピン１０の長さＬ４にほぼ等しく、その外周に羽根はずし雄ねじ部７Ａを形成している。すなわち、Ｌ４≒Ｌ５≒Ｌ６である。
【００３４】
そして、羽根はずし具８Ａをはさんでピン１０とは反対側に突出して羽根固定雌ねじ部１３を設け、その突出寸法Ｌ７は、突出壁１１の高さＬ８より高くして、羽根３を固定できるように形成している。すなわち、Ｌ７＞Ｌ８である。
【００３５】
上記構成において、羽根３を取付ける場合は、羽根３に回転軸２を挿入したのち、羽根はずし具８Ａを図３の状態から反対方向にして羽根固定雌ねじ部１３を回転軸２の先端部に形成した羽根固定雄ねじ部６に螺合して締め付ける。
【００３６】
羽根を外す際には、羽根はずし具８Ａを羽根ボス４Ａの羽根はずし雄ねじ部７Ａに螺合し、締め込んでいくと回転軸２の先端がまずピン１０に当たる。そして、そのまま締め込んでいくとピン１０の先端が支点となり、羽根はずし雄ねじ部７Ａが案内ねじとなって、羽根ボス４Ａが回転軸２の先端側へと移動し、ピン１０の長さＬ４分移動すると、羽根ボス４Ａが回転軸２から外れる。
【００３７】
（実施の形態３）
図４において、図１〜図３と同じ構成要素については同じ符号を用い、説明を省略する。
【００３８】
羽根はずし具８Ｂには、羽根固定雌ねじ部１３Ａを設けた突出部である羽根固定部１４の外周には対向する第一平面部１６を形成し、例えば６角柱形状である。また、羽根はずし雌ねじ部９Ｂを形成する筒部である羽根はずし部１５の外周には対向する第二平面部１７を形成する。羽根はずし具８Ｂを把持しやすくするには鍔状に突出させ、対向する第二平面部１７間に凹部１８を設けておくとよい。そして、羽根はずし雌ねじ部９Ｂの運転中の汚れ付着防止のため、例えば樹脂性で羽根はずし雌ねじ部９Ｂに嵌合するカバー１９を取付ける。
【００３９】
上記構成において、羽根（図示せず）を固定する際、または外す際には、それぞれ対向する第一平面部１６または対向する第二平面部１７をはさむ工具を使うことができるので、羽根３を必要トルクで締め付ける際、また羽根３を外す際に固着度合いが強く外しにくい際、工具を有用なものとして利用することができる。より具体的な作業手順は、例えば左手で羽根を押さえ、右手でボックスドライバーをまわし、羽根はずし具８Ｂに着脱のトルクを伝える。なお、羽根（図示せず）を外す際に、カバー１９を外せば汚れが付着していないねじ山が使えるので、外しやすいという利便性がある。
【産業上の利用可能性】
【００４０】
本発明にかかる送風機は、羽根がモーターの回転軸に油塵等で固着していても、羽根を容易かつ安全に取り外すことができるので、汚れが付着する雰囲気に設けられる送風機に有用である。
【図面の簡単な説明】
【００４１】
【図１】本発明の実施の形態１の送風機を示す構成図
【図２】本発明の実施の形態１の送風機を示す断面図
【図３】本発明の実施の形態２の送風機を示す断面図
【図４】本発明の実施の形態３の送風機における羽根はずし具とカバーを示す斜視図
【図５】従来の送風機を示す構成図
【符号の説明】
【００４２】
１      モーター
２      回転軸
３      羽根
４      羽根ボス
４Ａ    羽根ボス
６      羽根固定雄ねじ部
７      羽根はずし雄ねじ部
８      羽根はずし具
８Ａ    羽根はずし具
８Ｂ    羽根はずし具
９      羽根はずし雌ねじ部
９Ｂ    羽根はずし雌ねじ部
１０    ピン
１３Ａ  羽根固定雌ねじ部
１４    羽根固定部
１５    羽根はずし部
１６    第一平面部
１７    第二平面部
１８    凹部
１９    カバー
２０    送風機
【図１】
2007278243.tif 000003
【図２】
2007278243.tif 000004
【図３】
2007278243.tif 000005
【図４】
2007278243.tif 000006
【図５】
2007278243.tif 000007